(57)【要約】      （修正有）【課題】間欠的な強制噴霧を行え、プレートコンパクタへの搭載を容易に行えるプレートコンパクタ用散剤装置、及び操作性に優れたプレートコンパクタを提供する。【解決手段】プレートコンパクタ用散剤装置は、路面上の合材が転圧板１１に付着することを防止する液剤を収容する液剤用タンク２１と、液剤を路面に向けて噴霧する噴霧ノズル２２と、液剤用タンク２１の上部に設置するポンプ部２３と、ポンプ部２３の運転停止を操作する操作部２４と、ポンプ部２３によって吸い上げた液剤を噴霧ノズル２２に導く供給管２５とを有し、供給管２５として、噴霧ノズル２２を一端に取り付ける延出供給管と、延出供給管の他端を取り付ける固定用供給管と、ポンプ部２３と固定用供給管とを接続する接続用供給管とを有し、固定用供給管を液剤用タンク２１の下部に配置することを特徴とする。【選択図】図１
2019073951.tif 000002
【特許請求の範囲】
【請求項１】
路面に接触する転圧板に起振機構が取り付けられ、前記起振機構の振動により前記路面を締め固めるプレートコンパクタに用いるプレートコンパクタ用散剤装置であって、
前記路面上の合材が前記転圧板に付着することを防止する液剤を収容する液剤用タンクと、
前記液剤を前記路面に向けて噴霧する噴霧ノズルと、
前記液剤用タンクの上部に設置するポンプ部と、
前記ポンプ部の運転停止を操作する操作部と、
前記ポンプ部によって吸い上げた前記液剤を前記噴霧ノズルに導く供給管と
を有し、
前記供給管として、
前記噴霧ノズルを一端に取り付ける延出供給管と、
前記延出供給管の他端を取り付ける固定用供給管と、
前記ポンプ部と前記固定用供給管とを接続する接続用供給管と
を有し、
前記固定用供給管を前記液剤用タンクの下部に配置する
ことを特徴とするプレートコンパクタ用散剤装置。
【請求項２】
前記液剤用タンクの前記下部に、一対の取付具を取り付け、
前記固定用供給管の両端を、弾性材を介して一対の前記取付具によって保持する
ことを特徴とする請求項１に記載のプレートコンパクタ用散剤装置。
【請求項３】
前記固定用供給管を前記取付具に対して回動することで、前記噴霧ノズルの噴霧角度を変更できる
ことを特徴とする請求項２に記載のプレートコンパクタ用散剤装置。
【請求項４】
前記延出供給管を、一対の前記取付具の間の中心に一つ配置した
ことを特徴とする請求項２又は請求項３に記載のプレートコンパクタ用散剤装置。
【請求項５】
前記液剤が、所定の広がりを持ったフラットスプレーパターンで前記噴霧ノズルから噴霧される
ことを特徴とする請求項１から請求項４のいずれか１項に記載のプレートコンパクタ用散剤装置。
【請求項６】
前記噴霧ノズルから噴霧される前記液剤の前記広がりを、前記転圧板の幅よりも狭くした
ことを特徴とする請求項５に記載のプレートコンパクタ用散剤装置。
【請求項７】
前記液剤用タンクの前記上部に、前記液剤を投入する開口部を形成し、
前記開口部の外周を覆うリング状防振材を設け、
前記ポンプ部を、前記リング状防振材に取り付け、
前記ポンプ部を取り外すことで前記開口部から前記液剤を投入する
ことを特徴とする請求項１から請求項６のいずれか１項に記載のプレートコンパクタ用散剤装置。
【請求項８】
前記液剤を軽油とした
ことを特徴とする請求項１から請求項７のいずれか１項に記載のプレートコンパクタ用散剤装置。
【請求項９】
請求項１から請求項８のいずれか１項に記載のプレートコンパクタ用散剤装置を搭載したプレートコンパクタであって、
前記起振機構を動作させるエンジンと、
前記エンジンに用いる燃料を収容する燃料タンクと
操作ハンドルと
を有し、
前記エンジンの上部に前記燃料タンクが配置され、
前記エンジンより後方に前記操作ハンドルが設けられ、
前記エンジン及び前記燃料タンクより前方に前記液剤用タンクを搭載し、
前記噴霧ノズルを、前記転圧板の前端より前方に配置し、
前記操作部を前記操作ハンドルに設けた
ことを特徴とするプレートコンパクタ。
【発明の詳細な説明】
【技術分野】
【０００１】
本発明は、舗装工事に用いられるプレートコンパクタに関する。
【背景技術】
【０００２】
特許文献１及び特許文献２では、散水装置を備えたプレートコンパクタを提案している。
特許文献１に記載の散水装置は、プレートコンパクタの転圧板の前後端部にそれぞれ設けた散水管と、本体の上部側に固定された水タンクと、この水タンクとそれぞれの散水管とを接続する送水ホースの分岐位置に設けた切換コックとを有し、プレートコンパクタの前後進の方向変換レバーに、切換コックの送水方向の切換を連動させる連動機構を設けている。
特許文献１によれば、プレートコンパクタの前後進の方向変換レバーを前傾・後傾させる毎に、開閉コックが連動して切り替わるので、操作性に優れている。
特許文献２に記載の散水装置は、ベースプレートと、ベースプレート上に配設され、底床部及び左右の側壁部を有する原動機フレームと、原動機フレームに載置された原動機と、原動機フレームの後端から延びる操作ポールと、原動機と操作ポールとの間に配設された散水タンクとを備え、散水タンクは、原動機フレームに取付けられている。
特許文献２によれば、振動機本体内に散水タンクを収めた場合でも散水タンク廻りの清掃性を向上できる。
【先行技術文献】
【特許文献】
【０００３】
【特許文献１】実願平０３−９８２７５号（実開平０５−４７００８号）のＣＤ−ＲＯＭ
【特許文献２】特開２０１３−１９４３９６号公報
【発明の概要】
【発明が解決しようとする課題】
【０００４】
特許文献１及び特許文献２は、いずれも水を用いるものであり、プレートコンパクタの前進と後進との方向変換の場合には、散水箇所の切替を行うが、プレートコンパクタを一方向に進行している限り散水を継続するものであり、重力を利用した自然落下によって散水を行っている。
路面上の合材が転圧板に付着することを防止する液剤として軽油を用いる場合には、合材としてのアスファルトの品質を劣化させるという問題があるが、アスファルトの転圧板への付着防止効果は極めて高い。
従って、特許文献１及び特許文献２のように自然落下による滴下ではなく、ポンプを利用した強制噴霧を行い、間欠的な噴霧によって液剤の使用量を少なくすることで、軽油をも用いることができるプレートコンパクタ用散剤装置が望まれる。
【０００５】
そこで、本発明は、間欠的な強制噴霧を行え、プレートコンパクタへの搭載を容易に行えるプレートコンパクタ用散剤装置、及び操作性に優れたプレートコンパクタを提供することを目的とする。
【課題を解決するための手段】
【０００６】
請求項１記載の本発明のプレートコンパクタ用散剤装置は、路面に接触する転圧板１１に起振機構１２が取り付けられ、前記起振機構１２の振動により前記路面を締め固めるプレートコンパクタに用いるプレートコンパクタ用散剤装置であって、前記路面上の合材が前記転圧板１１に付着することを防止する液剤を収容する液剤用タンク２１と、前記液剤を前記路面に向けて噴霧する噴霧ノズル２２と、前記液剤用タンク２１の上部に設置するポンプ部２３と、前記ポンプ部２３の運転停止を操作する操作部２４と、前記ポンプ部２３によって吸い上げた前記液剤を前記噴霧ノズル２２に導く供給管２５とを有し、前記供給管２５として、前記噴霧ノズル２２を一端に取り付ける延出供給管２５ａと、前記延出供給管２５ａの他端を取り付ける固定用供給管２５ｂと、前記ポンプ部２３と前記固定用供給管２５ｂとを接続する接続用供給管２５ｃとを有し、前記固定用供給管２５ｂを前記液剤用タンク２１の下部に配置することを特徴とする。
請求項２記載の本発明は、請求項１に記載のプレートコンパクタ用散剤装置において、前記液剤用タンク２１の前記下部に、一対の取付具２６を取り付け、前記固定用供給管２５ｂの両端を、弾性材２７を介して一対の前記取付具２６によって保持することを特徴とする。
請求項３記載の本発明は、請求項２に記載のプレートコンパクタ用散剤装置において、前記固定用供給管２５ｂを前記取付具２６に対して回動することで、前記噴霧ノズル２２の噴霧角度を変更できることを特徴とする。
請求項４記載の本発明は、請求項２又は請求項３に記載のプレートコンパクタ用散剤装置において、前記延出供給管２５ａを、一対の前記取付具２６の間の中心に一つ配置したことを特徴とする。
請求項５記載の本発明は、請求項１から請求項４のいずれか１項に記載のプレートコンパクタ用散剤装置において、前記液剤が、所定の広がりＷ２２を持ったフラットスプレーパターンＡで前記噴霧ノズル２２から噴霧されることを特徴とする。
請求項６記載の本発明は、請求項５に記載のプレートコンパクタ用散剤装置において、前記噴霧ノズル２２から噴霧される前記液剤の前記広がりＷ２２を、前記転圧板１１の幅Ｗ１１よりも狭くしたことを特徴とする。
請求項７記載の本発明は、請求項１から請求項６のいずれか１項に記載のプレートコンパクタ用散剤装置において、前記液剤用タンク２１の前記上部に、前記液剤を投入する開口部２１ａを形成し、前記開口部２１ａの外周を覆うリング状防振材２１ｂを設け、前記ポンプ部２３を、前記リング状防振材２１ｂに取り付け、前記ポンプ部２３を取り外すことで前記開口部２１ａから前記液剤を投入することを特徴とする。
請求項８記載の本発明は、請求項１から請求項７のいずれか１項に記載のプレートコンパクタ用散剤装置において、前記液剤を軽油としたことを特徴とする。
請求項９記載の本発明のプレートコンパクタは、請求項１から請求項８のいずれか１項に記載のプレートコンパクタ用散剤装置を搭載したプレートコンパクタであって、前記起振機構１２を動作させるエンジン１３と、前記エンジン１３に用いる燃料を収容する燃料タンク１４と操作ハンドル１５とを有し、前記エンジン１３の上部に前記燃料タンク１４が配置され、前記エンジン１３より後方に前記操作ハンドル１５が設けられ、前記エンジン１３及び前記燃料タンク１４より前方に前記液剤用タンク２１を搭載し、前記噴霧ノズル２２を、前記転圧板１１の前端より前方に配置し、前記操作部２４を前記操作ハンドル１５に設けたことを特徴とする。
【発明の効果】
【０００７】
本発明によれば、間欠的な強制噴霧が行え、プレートコンパクタへの搭載を容易に行える。
【図面の簡単な説明】
【０００８】
【図１】本発明の一実施例によるプレートコンパクタの全体写真
【図２】同プレートコンパクタの供給管の構成を示す写真
【図３】同プレートコンパクタの液剤投入時を説明する写真
【図４】同プレートコンパクタの噴霧状態を示す説明図
【図５】本発明の他の実施例によるプレートコンパクタの要部を示す写真
【発明を実施するための形態】
【０００９】
本発明の第１の実施の形態によるプレートコンパクタ用散剤装置は、路面上の合材が転圧板に付着することを防止する液剤を収容する液剤用タンクと、液剤を路面に向けて噴霧する噴霧ノズルと、液剤用タンクの上部に設置するポンプ部と、ポンプ部の運転停止を操作する操作部と、ポンプ部によって吸い上げた液剤を噴霧ノズルに導く供給管とを有し、供給管として、噴霧ノズルを一端に取り付ける延出供給管と、延出供給管の他端を取り付ける固定用供給管と、ポンプ部と固定用供給管とを接続する接続用供給管とを有し、固定用供給管を液剤用タンクの下部に配置するものである。本実施の形態によれば、ポンプ部を備え、このポンプ部の運転停止を操作できることで、間欠的な強制噴霧が行え、更にポンプ部を液剤用タンクの上部に設置し、固定用供給管を液剤用タンクの下部に配置し、固定用供給管には延出供給管の他端を取り付け、延出供給管の一端に噴霧ノズルを取り付けるので、ポンプ部、噴霧ノズル、及び供給管を、液剤用タンクと一体的に取り扱え、プレートコンパクタへの搭載を容易に行える。
【００１０】
本発明の第２の実施の形態は、第１の実施の形態によるプレートコンパクタ用散剤装置において、液剤用タンクの下部に、一対の取付具を取り付け、固定用供給管の両端を、弾性材を介して一対の取付具によって保持するものである。本実施の形態によれば、液剤用タンクからの振動を弾性材によって固定用供給管に伝えにくくすることで、固定用供給管と接続用供給管との接続部に加わる負荷を低減できる。
【００１１】
本発明の第３の実施の形態は、第２の実施の形態によるプレートコンパクタ用散剤装置において、固定用供給管を取付具に対して回動することで、噴霧ノズルの噴霧角度を変更できるものである。本実施の形態によれば、弾性材を介して固定用供給管を一対の取付具によって保持することで、固定用供給管を取付具に対して回動でき、噴霧ノズルの噴霧角度を変更できる。
【００１２】
本発明の第４の実施の形態は、第２又は第３の実施の形態によるプレートコンパクタ用散剤装置において、延出供給管を、一対の取付具の間の中心に一つ配置したものである。本実施の形態によれば、噴霧ノズルを取り付ける延出供給管を一つとし、延出供給管を一対の取付具の間の中心に配置することで延出供給管の振動を低減でき、ポンプ停止時に噴霧ノズルから滴下する液剤を少なくできる。また、本実施の形態によれば、延出供給管を固定用供給管の端部に設けていないので、固定用供給管が傾斜しても、固定用供給管にエアーが入りにくく、ポンプの再運転時の噴霧をタイムラグ無く行える。更に、本実施の形態によれば、噴霧ノズルを転圧板の幅方向中心に配置しやすく、少ない液剤を有効に利用できる。
【００１３】
本発明の第５の実施の形態は、第１から第４の実施の形態によるプレートコンパクタ用散剤装置において、液剤が、所定の広がりを持ったフラットスプレーパターンで噴霧ノズルから噴霧されるものである。本実施の形態によれば、少ない液剤を有効に利用できる。
【００１４】
本発明の第６の実施の形態は、第５の実施の形態によるプレートコンパクタ用散剤装置において、噴霧ノズルから噴霧される液剤の広がりを、転圧板の幅よりも狭くしたものである。本実施の形態によれば、少ない液剤を有効に利用できるとともに、例えば隣接する壁などの周囲構造物に液剤が飛び散り付着することを防止できる。
【００１５】
本発明の第７の実施の形態は、第１から第６の実施の形態によるプレートコンパクタ用散剤装置において、液剤用タンクの上部に、液剤を投入する開口部を形成し、開口部の外周を覆うリング状防振材を設け、ポンプ部を、リング状防振材に取り付け、ポンプ部を取り外すことで開口部から液剤を投入するものである。本実施の形態によれば、ポンプ部に液剤用タンクの蓋材としての機能を持たすことができるとともに、リング状防振材によって、振動による緩みや液剤の漏れを防止できる。
【００１６】
本発明の第８の実施の形態は、第１から第７の実施の形態によるプレートコンパクタ用散剤装置において、液剤を軽油としたものである。本実施の形態によれば、合材としてのアスファルトの品質を劣化させる軽油の使用量を低減できるため、軽油を液剤として用いることができる。
【００１７】
本発明の第９の実施の形態によるプレートコンパクタは、第１から第８の実施の形態によるプレートコンパクタ用散剤装置を搭載したプレートコンパクタであって、起振機構を動作させるエンジンと、エンジンに用いる燃料を収容する燃料タンクと操作ハンドルとを有し、エンジンの上部に燃料タンクが配置され、エンジンより後方に操作ハンドルが設けられ、エンジン及び燃料タンクより前方に液剤用タンクを搭載し、噴霧ノズルを、転圧板の前端より前方に配置し、操作部を操作ハンドルに設けたものである。本実施の形態によれば、既存のプレートコンパクタに搭載しやすく、プレートコンパクタの操作性が高い。
【実施例】
【００１８】
本発明のプレートコンパクタ用散剤装置は、プレートコンパクタに搭載されて用いられる。
図１から図４は、本発明の一実施例によるプレートコンパクタ用散剤装置を搭載したプレートコンパクタを示す写真であり、図１は同プレートコンパクタの全体写真、図２は供給管の構成を示す写真、図３は液剤投入時を説明する写真、図４は噴霧状態を示す説明図である。
図１に示すように、プレートコンパクタは、路面に接触する転圧板１１と、この転圧板１１に取り付けられる起振機構１２と、起振機構１２を動作させるエンジン１３と、エンジン１３に用いる燃料を収容する燃料タンク１４と、操作ハンドル１５とを有し、起振機構１２の振動により路面を締め固める。
燃料タンク１４は、エンジン１３の上部に配置され、操作ハンドル１５はエンジン１３より後方に設けられる。
液剤用タンク２１は、エンジン１３及び燃料タンク１４より前方に搭載する。
液剤用タンク２１は、路面上の合材が転圧板１１に付着することを防止する液剤を収容する。液剤としては、軽油を用いることが適しているが、軽油以外の潤滑剤や水を用いることもできる。
本実施例によれば、液剤を軽油としても、合材としてのアスファルトの品質を劣化させる軽油の使用量を低減できるため、軽油を液剤として用いることができる。
【００１９】
プレートコンパクタ用散剤装置は、液剤用タンク２１と、液剤を路面に向けて噴霧する噴霧ノズル２２と、液剤用タンク２１の上部に設置するポンプ部２３と、ポンプ部２３の運転停止を操作する操作部２４と、ポンプ部２３によって吸い上げた液剤を噴霧ノズル２２に導く供給管２５とを有している。噴霧ノズル２２は、ノズルの軸心に対して偏向して噴霧する偏向型のノズルである。操作部２４は操作ハンドル１５に設けている。
本実施例によれば、ポンプ部２３を備えポンプ部２３の運転停止を操作できることで間欠的な強制噴霧が行える。
【００２０】
図２に示すように、供給管２５として、噴霧ノズル２２を一端に取り付ける延出供給管２５ａと、延出供給管２５ａの他端を取り付ける固定用供給管２５ｂと、ポンプ部２３と固定用供給管２５ｂとを接続する接続用供給管２５ｃとを有している。
固定用供給管２５ａは液剤用タンク２１の下部に配置する。
液剤用タンク２１の下部には、一対の取付具２６を取り付けている。
延出供給管２５ａ及び固定用供給管２５ｂには、可撓性を有しない鋼管を用い、接続用供給管２５ｃには、可撓性を有する柔軟な塩ビ管を用いることが好ましい。延出供給管２５ａ及び固定用供給管２５ｂとして可撓性を有しない材料を用いることで、噴霧ノズル２２からの噴霧方向や範囲が、振動によって変化することがない。
【００２１】
延出供給管２５ａは、一対の取付具２６の間の中心に一つ配置している。このように、延出供給管２５ａを一対の取付具２６の間の中心に配置することで延出供給管２５ａの振動を低減でき、ポンプ部２３の運転停止時に、振動によって噴霧ノズル２２から滴下する液剤を少なくできる。また、噴霧ノズル２２を一つとすることで、噴霧ノズル２２からの振動による滴下を少なくできる。また、延出供給管２５ａを固定用供給管２５ｂの端部に設けていないので、固定用供給管２５ｂが傾斜しても、固定用供給管２５ｂにエアーが入りにくく、ポンプ部２３の再運転時の噴霧をタイムラグ無く行える。更に、噴霧ノズル２２を転圧板１１の幅方向中心に配置しやすく、少ない液剤を有効に利用できる。
固定用供給管２５ｂの両端は、弾性材２７を介して一対の取付具２６によって保持される。このように、液剤用タンク２１からの振動を弾性材２７によって固定用供給管２５ｂに伝えにくくすることで、固定用供給管２５ｂと接続用供給管２５ｃとの接続部２５ｅに加わる負荷を低減でき、接続部２５ｅの緩みや破損を防止できる。
また、固定用供給管２５ｂを取付具２６に対して回動することで、噴霧ノズル２２の噴霧角度を変更できる。
このように、弾性材２７を介して固定用供給管２５ｂを一対の取付具２６によって保持することで、固定用供給管２５ｂを取付具２６に対して回動でき、噴霧ノズル２２の噴霧角度を変更できる。
【００２２】
本実施例によれば、ポンプ部２３を液剤用タンク２１の上部に設置し、固定用供給管２５ｂを液剤用タンク２１の下部に配置し、固定用供給管２５ｂには延出供給管２５ａの他端を取り付け、延出供給管２５ａの一端に噴霧ノズル２２を取り付けるので、ポンプ部２３、噴霧ノズル２２、及び供給管２５を、液剤用タンク２１と一体的に取り扱えることで、既存のプレートコンパクタに搭載しやすく、プレートコンパクタの操作性が高い。
【００２３】
図３に示すように、液剤用タンク２１の上部には、液剤を投入する開口部２１ａを形成している。
開口部２１ａには、開口部２１ａの外周を覆うリング状防振材２１ｂを設けている。ポンプ部２３は、リング状防振材２１ｂに取り付ける。
液剤用タンク２１は、ポンプ部２３を取り外すことで開口部２１ａから液剤を投入することができる。
本実施例によれば、ポンプ部２３に液剤用タンク２１の蓋材としての機能を持たすことができるとともに、リング状防振材２１ｂによって、振動による緩みや液剤の漏れを防止できる。
【００２４】
図４に示すように、噴霧ノズル２２は、転圧板１１の前端より距離Ｘだけ前方に配置している。
液剤は、所定の広がりを持ったフラットスプレーパターンＡで噴霧ノズル２２から噴霧される。
噴霧ノズル２２から噴霧される液剤の広がりＷ２２は、転圧板１１の幅Ｗ１１よりも狭くする。このように、所定の広がりＷ２２を持ったフラットスプレーパターンＡで噴霧することで、少ない液剤を有効に利用できるとともに、例えば隣接する壁などの周囲構造物に液剤が飛び散り付着することを防止できる。
なお、図示のように、プレートコンパクタの使用時には、プレートコンパクタの前方の路面に載置して、プレートコンパクタの前進によって路面と転圧板との間に挟み込む鉄板プレート３０が用いられる。
噴霧ノズル２２から噴霧される液剤の広がりは、転圧板１１の幅よりも広く、鉄板プレート３０の幅よりも狭くすることもできる。このように、転圧板１１の幅よりも広く、鉄板プレート３０の幅よりも狭い範囲に、フラットスプレーパターンで噴霧することで、少ない液剤を有効に利用できる。
【００２５】
図５は、本発明の他の実施例によるプレートコンパクタの要部を示す写真である。上記実施例と同一部材には同一符号を付して説明を省略し、上記実施例と相違する構成についてのみ説明する。
本実施例では、延出供給管２５ａとして、９０°の角度を有するエルボ管を用いている。
９０°の角度を有するエルボ管を延出供給管２５ａとして用いることで、延出供給管２５ａの一端に取り付ける噴霧ノズル２２は、下方の路面に向けて液剤を噴霧する。
本実施例による噴霧ノズル２２は、ノズルの軸心方向に噴霧するノズルを用いている。
図５（ｂ）に示すように、本実施例における噴霧ノズル２２によっても、液剤は、所定の広がりを持ったフラットスプレーパターンＡで噴霧ノズル２２から噴霧される。
【００２６】
図１から図４に示す延出供給管２５ａ及び噴霧ノズル２２、図５に示す延出供給管２５ａ及び噴霧ノズル２２は、長さや角度の異なる延出供給管２５ａに、又は異なるフラットスプレーパターンや方向に噴霧する噴霧ノズル２２に、適宜取り替えて用いることができる。
【産業上の利用可能性】
【００２７】
本発明のプレートコンパクタ用散剤装置は、プレートコンパクタへの搭載が容易であり、特に液剤として軽油を用いる場合に有効である。
【符号の説明】
【００２８】
１１  転圧板
１２  起振機構
１３  エンジン
１４  燃料タンク
１５  操作ハンドル
２１  液剤用タンク
２１ａ  開口部
２１ｂ  リング状防振材
２２  噴霧ノズル
２３  ポンプ部
２４  操作部
２５  供給管
２５ａ  延出供給管
２５ｂ  固定用供給管
２５ｃ  接続用供給管
２５ｅ  接続部
２６  取付具
２７  弾性材
３０  鉄板プレート
Ａ  フラットスプレーパターン
Ｘ  距離
Ｗ１１  幅
Ｗ２２  広がり
【図１】
2019073951.tif 000003
【図２】
2019073951.tif 000004
【図３】
2019073951.tif 000005
【図４】
2019073951.tif 000006
【図５】
2019073951.tif 000007
【手続補正書】
【提出日】平成30年6月25日(2018.6.25)
【手続補正１】
【補正対象書類名】明細書
【補正対象項目名】全文
【補正方法】変更
【補正の内容】
【発明の詳細な説明】
【技術分野】
【０００１】
本発明は、舗装工事に用いられるプレートコンパクタに関する。
【背景技術】
【０００２】
特許文献１及び特許文献２では、散水装置を備えたプレートコンパクタを提案している。
特許文献１に記載の散水装置は、プレートコンパクタの転圧板の前後端部にそれぞれ設けた散水管と、本体の上部側に固定された水タンクと、この水タンクとそれぞれの散水管とを接続する送水ホースの分岐位置に設けた切換コックとを有し、プレートコンパクタの前後進の方向変換レバーに、切換コックの送水方向の切換を連動させる連動機構を設けている。
特許文献１によれば、プレートコンパクタの前後進の方向変換レバーを前傾・後傾させる毎に、開閉コックが連動して切り替わるので、操作性に優れている。
特許文献２に記載の散水装置は、ベースプレートと、ベースプレート上に配設され、底床部及び左右の側壁部を有する原動機フレームと、原動機フレームに載置された原動機と、原動機フレームの後端から延びる操作ポールと、原動機と操作ポールとの間に配設された散水タンクとを備え、散水タンクは、原動機フレームに取付けられている。
特許文献２によれば、振動機本体内に散水タンクを収めた場合でも散水タンク廻りの清掃性を向上できる。
【先行技術文献】
【特許文献】
【０００３】
【特許文献１】実願平０３−９８２７５号（実開平０５−４７００８号）のＣＤ−ＲＯＭ
【特許文献２】特開２０１３−１９４３９６号公報
【発明の概要】
【発明が解決しようとする課題】
【０００４】
特許文献１及び特許文献２は、いずれも水を用いるものであり、プレートコンパクタの前進と後進との方向変換の場合には、散水箇所の切替を行うが、プレートコンパクタを一方向に進行している限り散水を継続するものであり、重力を利用した自然落下によって散水を行っている。
路面上の合材が転圧板に付着することを防止する液剤として軽油を用いる場合には、合材としてのアスファルトの品質を劣化させるという問題があるが、アスファルトの転圧板への付着防止効果は極めて高い。
従って、特許文献１及び特許文献２のように自然落下による滴下ではなく、ポンプを利用した強制噴霧を行い、間欠的な噴霧によって液剤の使用量を少なくすることで、軽油をも用いることができるプレートコンパクタ用散剤装置が望まれる。
【０００５】
そこで、本発明は、間欠的な強制噴霧を行え、プレートコンパクタへの搭載を容易に行えるプレートコンパクタ用散剤装置、及び操作性に優れたプレートコンパクタを提供することを目的とする。
【課題を解決するための手段】
【０００６】
請求項１記載の本発明のプレートコンパクタ用散剤装置は、路面に接触する転圧板１１に起振機構１２が取り付けられ、前記起振機構１２の振動により前記路面を締め固めるプレートコンパクタに用いるプレートコンパクタ用散剤装置であって、前記路面上の合材が前記転圧板１１に付着することを防止する液剤を収容する液剤用タンク２１と、前記液剤を前記路面に向けて噴霧する噴霧ノズル２２と、前記液剤用タンク２１の上部に設置するポンプ部２３と、前記ポンプ部２３の運転停止を操作する操作部２４と、前記ポンプ部２３によって吸い上げた前記液剤を前記噴霧ノズル２２に導く供給管２５とを有し、前記供給管２５として、前記噴霧ノズル２２を一端に取り付ける延出供給管２５ａと、前記延出供給管２５ａの他端を取り付ける固定用供給管２５ｂと、前記ポンプ部２３と前記固定用供給管２５ｂとを接続する接続用供給管２５ｃとを有し、前記液剤を軽油又は潤滑剤とし、前記固定用供給管２５ｂを前記液剤用タンク２１の下部に配置し、前記噴霧ノズル２２は、前記転圧板１１の前端より前方の前記路面に載置する鉄板プレートに向けて前記液剤を噴霧し、前記固定用供給管２５ｂを保持する取付具２６に対して、前記固定用供給管２５ｂを回動することで、前記噴霧ノズル２２の噴霧角度を変更できることを特徴とする。
請求項２記載の本発明は、請求項１に記載のプレートコンパクタ用散剤装置において、前記液剤用タンク２１の前記下部に、一対の前記取付具２６を取り付け、前記固定用供給管２５ｂの両端を、弾性材２７を介して一対の前記取付具２６によって保持することを特徴とする。
請求項３記載の本発明は、請求項２に記載のプレートコンパクタ用散剤装置において、前記延出供給管２５ａを、一対の前記取付具２６の間の中心に一つ配置したことを特徴とする。
請求項４記載の本発明は、請求項１から請求項３のいずれか１項に記載のプレートコンパクタ用散剤装置において、前記液剤が、所定の広がりＷ２２を持ったフラットスプレーパターンＡで前記噴霧ノズル２２から噴霧されることを特徴とする。
請求項５記載の本発明は、請求項４に記載のプレートコンパクタ用散剤装置において、前記噴霧ノズル２２から噴霧される前記液剤の前記広がりＷ２２を、前記転圧板１１の幅Ｗ１１よりも狭くしたことを特徴とする。
請求項６記載の本発明は、請求項１から請求項５のいずれか１項に記載のプレートコンパクタ用散剤装置において、前記液剤用タンク２１の前記上部に、前記液剤を投入する開口部２１ａを形成し、前記開口部２１ａの外周を覆うリング状防振材２１ｂを設け、前記ポンプ部２３を、前記リング状防振材２１ｂに取り付け、前記ポンプ部２３を取り外すことで前記開口部２１ａから前記液剤を投入することを特徴とする。
請求項７記載の本発明のプレートコンパクタは、請求項１から請求項６のいずれか１項に記載のプレートコンパクタ用散剤装置を搭載したプレートコンパクタであって、前記起振機構１２を動作させるエンジン１３と、前記エンジン１３に用いる燃料を収容する燃料タンク１４と操作ハンドル１５とを有し、前記エンジン１３の上部に前記燃料タンク１４が配置され、前記エンジン１３より後方に前記操作ハンドル１５が設けられ、前記エンジン１３及び前記燃料タンク１４より前方に前記液剤用タンク２１を搭載し、前記噴霧ノズル２２を、前記転圧板１１の前記前端より前方に配置し、前記操作部２４を前記操作ハンドル１５に設けたことを特徴とする。
【発明の効果】
【０００７】
本発明によれば、間欠的な強制噴霧が行え、プレートコンパクタへの搭載を容易に行える。
【図面の簡単な説明】
【０００８】
【図１】本発明の一実施例によるプレートコンパクタの全体写真
【図２】同プレートコンパクタの供給管の構成を示す写真
【図３】同プレートコンパクタの液剤投入時を説明する写真
【図４】同プレートコンパクタの噴霧状態を示す説明図
【図５】本発明の他の実施例によるプレートコンパクタの要部を示す写真
【発明を実施するための形態】
【０００９】
本発明の第１の実施の形態によるプレートコンパクタ用散剤装置は、路面上の合材が転圧板に付着することを防止する液剤を収容する液剤用タンクと、液剤を路面に向けて噴霧する噴霧ノズルと、液剤用タンクの上部に設置するポンプ部と、ポンプ部の運転停止を操作する操作部と、ポンプ部によって吸い上げた液剤を噴霧ノズルに導く供給管とを有し、供給管として、噴霧ノズルを一端に取り付ける延出供給管と、延出供給管の他端を取り付ける固定用供給管と、ポンプ部と固定用供給管とを接続する接続用供給管とを有し、液剤を軽油又は潤滑剤とし、固定用供給管を液剤用タンクの下部に配置し、噴霧ノズルは、転圧板の前端より前方の路面に載置する鉄板プレートに向けて液剤を噴霧し、固定用供給管を保持する取付具に対して、固定用供給管を回動することで、噴霧ノズルの噴霧角度を変更できるものである。本実施の形態によれば、ポンプ部を備え、このポンプ部の運転停止を操作できることで、間欠的な強制噴霧が行え、更にポンプ部を液剤用タンクの上部に設置し、固定用供給管を液剤用タンクの下部に配置し、固定用供給管には延出供給管の他端を取り付け、延出供給管の一端に噴霧ノズルを取り付けるので、ポンプ部、噴霧ノズル、及び供給管を、液剤用タンクと一体的に取り扱え、プレートコンパクタへの搭載を容易に行える。また、弾性材を介して固定用供給管を一対の取付具によって保持することで、固定用供給管を取付具に対して回動でき、噴霧ノズルの噴霧角度を変更できる。また、合材としてのアスファルトの品質を劣化させる軽油の使用量を低減できるため、軽油を液剤として用いることができる。
【００１０】
本発明の第２の実施の形態は、第１の実施の形態によるプレートコンパクタ用散剤装置において、液剤用タンクの下部に、一対の取付具を取り付け、固定用供給管の両端を、弾性材を介して一対の取付具によって保持するものである。本実施の形態によれば、液剤用タンクからの振動を弾性材によって固定用供給管に伝えにくくすることで、固定用供給管と接続用供給管との接続部に加わる負荷を低減できる。
【００１１】
本発明の第３の実施の形態は、第２の実施の形態によるプレートコンパクタ用散剤装置において、延出供給管を、一対の取付具の間の中心に一つ配置したものである。本実施の形態によれば、噴霧ノズルを取り付ける延出供給管を一つとし、延出供給管を一対の取付具の間の中心に配置することで延出供給管の振動を低減でき、ポンプ停止時に噴霧ノズルから滴下する液剤を少なくできる。また、本実施の形態によれば、延出供給管を固定用供給管の端部に設けていないので、固定用供給管が傾斜しても、固定用供給管にエアーが入りにくく、ポンプの再運転時の噴霧をタイムラグ無く行える。更に、本実施の形態によれば、噴霧ノズルを転圧板の幅方向中心に配置しやすく、少ない液剤を有効に利用できる。
【００１２】
本発明の第４の実施の形態は、第１から第３の実施の形態によるプレートコンパクタ用散剤装置において、液剤が、所定の広がりを持ったフラットスプレーパターンで噴霧ノズルから噴霧されるものである。本実施の形態によれば、少ない液剤を有効に利用できる。
【００１３】
本発明の第５の実施の形態は、第４の実施の形態によるプレートコンパクタ用散剤装置において、噴霧ノズルから噴霧される液剤の広がりを、転圧板の幅よりも狭くしたものである。本実施の形態によれば、少ない液剤を有効に利用できるとともに、例えば隣接する壁などの周囲構造物に液剤が飛び散り付着することを防止できる。
【００１４】
本発明の第６の実施の形態は、第１から第５の実施の形態によるプレートコンパクタ用散剤装置において、液剤用タンクの上部に、液剤を投入する開口部を形成し、開口部の外周を覆うリング状防振材を設け、ポンプ部を、リング状防振材に取り付け、ポンプ部を取り外すことで開口部から液剤を投入するものである。本実施の形態によれば、ポンプ部に液剤用タンクの蓋材としての機能を持たすことができるとともに、リング状防振材によって、振動による緩みや液剤の漏れを防止できる。
【００１５】
本発明の第７の実施の形態によるプレートコンパクタは、第１から第６の実施の形態によるプレートコンパクタ用散剤装置を搭載したプレートコンパクタであって、起振機構を動作させるエンジンと、エンジンに用いる燃料を収容する燃料タンクと操作ハンドルとを有し、エンジンの上部に燃料タンクが配置され、エンジンより後方に操作ハンドルが設けられ、エンジン及び燃料タンクより前方に液剤用タンクを搭載し、噴霧ノズルを、転圧板の前端より前方に配置し、操作部を操作ハンドルに設けたものである。本実施の形態によれば、既存のプレートコンパクタに搭載しやすく、プレートコンパクタの操作性が高い。
【実施例】
【００１６】
本発明のプレートコンパクタ用散剤装置は、プレートコンパクタに搭載されて用いられる。
図１から図４は、本発明の一実施例によるプレートコンパクタ用散剤装置を搭載したプレートコンパクタを示す写真であり、図１は同プレートコンパクタの全体写真、図２は供給管の構成を示す写真、図３は液剤投入時を説明する写真、図４は噴霧状態を示す説明図である。
図１に示すように、プレートコンパクタは、路面に接触する転圧板１１と、この転圧板１１に取り付けられる起振機構１２と、起振機構１２を動作させるエンジン１３と、エンジン１３に用いる燃料を収容する燃料タンク１４と、操作ハンドル１５とを有し、起振機構１２の振動により路面を締め固める。
燃料タンク１４は、エンジン１３の上部に配置され、操作ハンドル１５はエンジン１３より後方に設けられる。
液剤用タンク２１は、エンジン１３及び燃料タンク１４より前方に搭載する。
液剤用タンク２１は、路面上の合材が転圧板１１に付着することを防止する液剤を収容する。液剤としては、軽油を用いることが適しているが、軽油以外の潤滑剤や水を用いることもできる。
本実施例によれば、液剤を軽油としても、合材としてのアスファルトの品質を劣化させる軽油の使用量を低減できるため、軽油を液剤として用いることができる。
【００１７】
プレートコンパクタ用散剤装置は、液剤用タンク２１と、液剤を路面に向けて噴霧する噴霧ノズル２２と、液剤用タンク２１の上部に設置するポンプ部２３と、ポンプ部２３の運転停止を操作する操作部２４と、ポンプ部２３によって吸い上げた液剤を噴霧ノズル２２に導く供給管２５とを有している。噴霧ノズル２２は、ノズルの軸心に対して偏向して噴霧する偏向型のノズルである。操作部２４は操作ハンドル１５に設けている。
本実施例によれば、ポンプ部２３を備えポンプ部２３の運転停止を操作できることで間欠的な強制噴霧が行える。
【００１８】
図２に示すように、供給管２５として、噴霧ノズル２２を一端に取り付ける延出供給管２５ａと、延出供給管２５ａの他端を取り付ける固定用供給管２５ｂと、ポンプ部２３と固定用供給管２５ｂとを接続する接続用供給管２５ｃとを有している。
固定用供給管２５ａは液剤用タンク２１の下部に配置する。
液剤用タンク２１の下部には、一対の取付具２６を取り付けている。
延出供給管２５ａ及び固定用供給管２５ｂには、可撓性を有しない鋼管を用い、接続用供給管２５ｃには、可撓性を有する柔軟な塩ビ管を用いることが好ましい。延出供給管２５ａ及び固定用供給管２５ｂとして可撓性を有しない材料を用いることで、噴霧ノズル２２からの噴霧方向や範囲が、振動によって変化することがない。
【００１９】
延出供給管２５ａは、一対の取付具２６の間の中心に一つ配置している。このように、延出供給管２５ａを一対の取付具２６の間の中心に配置することで延出供給管２５ａの振動を低減でき、ポンプ部２３の運転停止時に、振動によって噴霧ノズル２２から滴下する液剤を少なくできる。また、噴霧ノズル２２を一つとすることで、噴霧ノズル２２からの振動による滴下を少なくできる。また、延出供給管２５ａを固定用供給管２５ｂの端部に設けていないので、固定用供給管２５ｂが傾斜しても、固定用供給管２５ｂにエアーが入りにくく、ポンプ部２３の再運転時の噴霧をタイムラグ無く行える。更に、噴霧ノズル２２を転圧板１１の幅方向中心に配置しやすく、少ない液剤を有効に利用できる。
固定用供給管２５ｂの両端は、弾性材２７を介して一対の取付具２６によって保持される。このように、液剤用タンク２１からの振動を弾性材２７によって固定用供給管２５ｂに伝えにくくすることで、固定用供給管２５ｂと接続用供給管２５ｃとの接続部２５ｅに加わる負荷を低減でき、接続部２５ｅの緩みや破損を防止できる。
また、固定用供給管２５ｂを取付具２６に対して回動することで、噴霧ノズル２２の噴霧角度を変更できる。
このように、弾性材２７を介して固定用供給管２５ｂを一対の取付具２６によって保持することで、固定用供給管２５ｂを取付具２６に対して回動でき、噴霧ノズル２２の噴霧角度を変更できる。
【００２０】
本実施例によれば、ポンプ部２３を液剤用タンク２１の上部に設置し、固定用供給管２５ｂを液剤用タンク２１の下部に配置し、固定用供給管２５ｂには延出供給管２５ａの他端を取り付け、延出供給管２５ａの一端に噴霧ノズル２２を取り付けるので、ポンプ部２３、噴霧ノズル２２、及び供給管２５を、液剤用タンク２１と一体的に取り扱えることで、既存のプレートコンパクタに搭載しやすく、プレートコンパクタの操作性が高い。
【００２１】
図３に示すように、液剤用タンク２１の上部には、液剤を投入する開口部２１ａを形成している。
開口部２１ａには、開口部２１ａの外周を覆うリング状防振材２１ｂを設けている。ポンプ部２３は、リング状防振材２１ｂに取り付ける。
液剤用タンク２１は、ポンプ部２３を取り外すことで開口部２１ａから液剤を投入することができる。
本実施例によれば、ポンプ部２３に液剤用タンク２１の蓋材としての機能を持たすことができるとともに、リング状防振材２１ｂによって、振動による緩みや液剤の漏れを防止できる。
【００２２】
図４に示すように、噴霧ノズル２２は、転圧板１１の前端より距離Ｘだけ前方に配置している。
液剤は、所定の広がりを持ったフラットスプレーパターンＡで噴霧ノズル２２から噴霧される。
噴霧ノズル２２から噴霧される液剤の広がりＷ２２は、転圧板１１の幅Ｗ１１よりも狭くする。このように、所定の広がりＷ２２を持ったフラットスプレーパターンＡで噴霧することで、少ない液剤を有効に利用できるとともに、例えば隣接する壁などの周囲構造物に液剤が飛び散り付着することを防止できる。
なお、図示のように、プレートコンパクタの使用時には、プレートコンパクタの前方の路面に載置して、プレートコンパクタの前進によって路面と転圧板との間に挟み込む鉄板プレート３０が用いられる。
噴霧ノズル２２から噴霧される液剤の広がりは、転圧板１１の幅よりも広く、鉄板プレート３０の幅よりも狭くすることもできる。このように、転圧板１１の幅よりも広く、鉄板プレート３０の幅よりも狭い範囲に、フラットスプレーパターンで噴霧することで、少ない液剤を有効に利用できる。
【００２３】
図５は、本発明の他の実施例によるプレートコンパクタの要部を示す写真である。上記実施例と同一部材には同一符号を付して説明を省略し、上記実施例と相違する構成についてのみ説明する。
本実施例では、延出供給管２５ａとして、９０°の角度を有するエルボ管を用いている。
９０°の角度を有するエルボ管を延出供給管２５ａとして用いることで、延出供給管２５ａの一端に取り付ける噴霧ノズル２２は、下方の路面に向けて液剤を噴霧する。
本実施例による噴霧ノズル２２は、ノズルの軸心方向に噴霧するノズルを用いている。
図５（ｂ）に示すように、本実施例における噴霧ノズル２２によっても、液剤は、所定の広がりを持ったフラットスプレーパターンＡで噴霧ノズル２２から噴霧される。
【００２４】
図１から図４に示す延出供給管２５ａ及び噴霧ノズル２２、図５に示す延出供給管２５ａ及び噴霧ノズル２２は、長さや角度の異なる延出供給管２５ａに、又は異なるフラットスプレーパターンや方向に噴霧する噴霧ノズル２２に、適宜取り替えて用いることができる。
【産業上の利用可能性】
【００２５】
本発明のプレートコンパクタ用散剤装置は、プレートコンパクタへの搭載が容易であり、特に液剤として軽油を用いる場合に有効である。
【符号の説明】
【００２６】
１１  転圧板
１２  起振機構
１３  エンジン
１４  燃料タンク
１５  操作ハンドル
２１  液剤用タンク
２１ａ  開口部
２１ｂ  リング状防振材
２２  噴霧ノズル
２３  ポンプ部
２４  操作部
２５  供給管
２５ａ  延出供給管
２５ｂ  固定用供給管
２５ｃ  接続用供給管
２５ｅ  接続部
２６  取付具
２７  弾性材
３０  鉄板プレート
Ａ  フラットスプレーパターン
Ｘ  距離
Ｗ１１  幅
Ｗ２２  広がり
【手続補正２】
【補正対象書類名】特許請求の範囲
【補正対象項目名】全文
【補正方法】変更
【補正の内容】
【特許請求の範囲】
【請求項１】
路面に接触する転圧板に起振機構が取り付けられ、前記起振機構の振動により前記路面を締め固めるプレートコンパクタに用いるプレートコンパクタ用散剤装置であって、
前記路面上の合材が前記転圧板に付着することを防止する液剤を収容する液剤用タンクと、
前記液剤を前記路面に向けて噴霧する噴霧ノズルと、
前記液剤用タンクの上部に設置するポンプ部と、
前記ポンプ部の運転停止を操作する操作部と、
前記ポンプ部によって吸い上げた前記液剤を前記噴霧ノズルに導く供給管と
を有し、
前記供給管として、
前記噴霧ノズルを一端に取り付ける延出供給管と、
前記延出供給管の他端を取り付ける固定用供給管と、
前記ポンプ部と前記固定用供給管とを接続する接続用供給管と
を有し、
前記液剤を軽油又は潤滑剤とし、
前記固定用供給管を前記液剤用タンクの下部に配置し、
前記噴霧ノズルは、前記転圧板の前端より前方の前記路面に載置する鉄板プレートに向けて前記液剤を噴霧し、
前記固定用供給管を保持する取付具に対して、前記固定用供給管を回動することで、前記噴霧ノズルの噴霧角度を変更できる
ことを特徴とするプレートコンパクタ用散剤装置。
【請求項２】
前記液剤用タンクの前記下部に、一対の前記取付具を取り付け、
前記固定用供給管の両端を、弾性材を介して一対の前記取付具によって保持する
ことを特徴とする請求項１に記載のプレートコンパクタ用散剤装置。
【請求項３】
前記延出供給管を、一対の前記取付具の間の中心に一つ配置した
ことを特徴とする請求項２に記載のプレートコンパクタ用散剤装置。
【請求項４】
前記液剤が、所定の広がりを持ったフラットスプレーパターンで前記噴霧ノズルから噴霧される
ことを特徴とする請求項１から請求項３のいずれか１項に記載のプレートコンパクタ用散剤装置。
【請求項５】
前記噴霧ノズルから噴霧される前記液剤の前記広がりを、前記転圧板の幅よりも狭くした
ことを特徴とする請求項４に記載のプレートコンパクタ用散剤装置。
【請求項６】
前記液剤用タンクの前記上部に、前記液剤を投入する開口部を形成し、
前記開口部の外周を覆うリング状防振材を設け、
前記ポンプ部を、前記リング状防振材に取り付け、
前記ポンプ部を取り外すことで前記開口部から前記液剤を投入する
ことを特徴とする請求項１から請求項５のいずれか１項に記載のプレートコンパクタ用散剤装置。
【請求項７】
請求項１から請求項６のいずれか１項に記載のプレートコンパクタ用散剤装置を搭載したプレートコンパクタであって、
前記起振機構を動作させるエンジンと、
前記エンジンに用いる燃料を収容する燃料タンクと
操作ハンドルと
を有し、
前記エンジンの上部に前記燃料タンクが配置され、
前記エンジンより後方に前記操作ハンドルが設けられ、
前記エンジン及び前記燃料タンクより前方に前記液剤用タンクを搭載し、
前記噴霧ノズルを、前記転圧板の前記前端より前方に配置し、
前記操作部を前記操作ハンドルに設けた
ことを特徴とするプレートコンパクタ。